(57)【特許請求の範囲】
【請求項１】
エレクトロルミネッセンスの付いた時計又はソーラ時計等の時計用文字板において、透明基板上に多数の小孔が配設されている区画と、前記小孔が配設されていない島状の複数の区画とが形成されている第１の金属（膜）層と、前記第１の金属（膜）層の小孔が配設されていない島状の複数の区画上に時字、マーク等を成す第２の金属層とを具備したことを特徴とする時計用文字板。
【請求項２】
エレクトロルミネッセンスの付いた時計又はソーラ時計等の時計用文字板において、透明基板上に多数の小孔が配設されている第１の金属（膜）層と、前記第１の金属（膜）層の上に部分的に時字、マーク等を成す第２の金属層とを具備したことを特徴とする時計用文字板。
【請求項３】
前記第１の金属（膜）層に配設されている小孔の孔径は、５〜３０μｍの大きさであることを特徴とする請求項１又は２記載の時計用文字板。
【請求項４】
前記第１の金属（膜）層に配設されている小孔が占める割合は、表から文字板が見える面積（見切り面積）の２０〜５０％の面積率で配設さていることを特徴とする請求項１又は２記載の時計用文字板。
【請求項５】
前記第１の金属（膜）層の表面に模様が形成されていることを特徴とする請求項１又は２記載の時計用文字板。
【請求項６】
前記第１の金属（膜）層上に透過性のカラー塗膜が設けられていることを特徴とする請求項１又は２記載の時計用文字板。
【請求項７】
前記第２の金属層の表面は光沢を有していることを特徴とする請求項１又は２記載の時計用文字板。
【請求項８】
前記第１の金属（膜）層及び第２の金属層の表面をクリヤー塗膜で被覆したことを特徴とする請求項１又は２記載の時計用文字板。
【発明の詳細な説明】
【０００１】
【発明の属する技術分野】
本発明は、エレクトロルミネッセンス（以下、ＥＬと略記する）の付いた時計及びソーラ時計等の時計用文字板に関する。
【０００２】
【従来の技術】
従来、時計にＥＬ発光体を組み込んだ時計用文字板、或いはソーラセル体を組み込んだ時計用文字板として、光の透過性を必要とするために多くはプラスチック板が用いられていた。このプラスチック板に色々な加飾を施して装飾バリエーションや高級感を出現させる方法が取られてきた。そして、このプラスチック板の下方にＥＬ発光部材を配置させた構造の文字板が使用されている。この文字板はＥＬ発光部材が発光することによって照明させるため、明るくなり、夜間、暗闇内の時刻読み取りを可能にするものである。
【０００３】
しかしながら、金属感が現れずどうしても高級感出現には限度があった。また、プラスチック板であるためにどうしても加工方法が限定され、文字板としての豊富なバリエーションが得られなかった。このため金属板を使用して文字板を形成し、金属感による高級感出現や豊富なバリエーション出現の試みが成されて来た。このような中で、この金属板を使用して文字板を形成した技術の一つとして特開平１０−７８４８６号公報に開示されたものがある。以下、図５〜図７に基づいてその概要を説明する。
【０００４】
図５は、腕時計の内部構造を示す部分断面図である。図６は、放射状の出射口を形成した表示板の部分平面図である。図７は、細径の円弧状の出射口を形成した表示板の部分平面図である。図５〜図７において、アナログ指針機構の本体部の上面には、板状に形成されたＥＬ発光部材１と、表示板２とが積層状態で文字板３を構成して載置されている。また、これらのＥＬ発光部材１及び表示板２の中央部分には指針軸が嵌挿する貫通孔１ａ、２ａが形成されている。
【０００５】
前記表示板は金属感を付与する材料によって形成され、図６に示すように、多数の出射口４が貫通孔２ａを中心にして放射状に形成され、出射口４は細径になっていると共に、表示板１の径方向に断続状態で伸びている。また、図７に示すように、出射口４が細径の円弧状に形成され、その多数が貫通孔２ａを中心とした同心円状に配置されている。前記出射口４は、均一な密度で形成され、出射口４自体が認識可能な意匠を形成するようにしたものである。また、ここで加飾された光透過性のフィルムを表示板に貼り付けて加飾を施しているものである。また、時字やマーク等の表示模様、絵柄、文字等は塗料の印刷によって形成しているものである。
【０００６】
【発明が解決しようとする課題】
しかしながら、上記の従来技術には次の様な問題点を有している。即ち、金属感は現れるが、出射口が意匠を形成しているものの出射口が目視で見えるため文字板としての違和感を感じさせる。
【０００７】
また、時字、マーク等は塗料の印刷形成のため表示板が平面的で凹凸がなく、立体感が現れない。当然ながら、時字、マーク等に金属感が現れないので高級感に欠ける。
【０００８】
また、加飾方法は透過性のフィルムで行っているので金属と加飾に一体感が現れず高級感に欠ける等の様々の問題があった。
【０００９】
本発明は上記課題に鑑みなされたものであり、その目的とするところは、文字板全体に金属感が現れ、また、立体感も現れて、金属と一体的に装飾模様が施されて、高級感と豊富なバリエーションが得られる時計用文字板を提供するものである。
【００１０】
【課題を解決するための手段】
上記目的を達成するために、本発明における時計用文字板は、エレクトロルミネッセンスの付いた時計又はソーラ時計等の時計用文字板において、透明基板上に多数の小孔が配設されている区画と、前記小孔が配設されていない島状の複数の区画とが形成されている第１の金属（膜）層と、前記第１の金属（膜）層の小孔が配設されていない島状の複数の区画上に時字、マーク等を成す第２の金属層とを具備したことを特徴とするものである。
【００１１】
また、エレクトロルミネッセンスの付いた時計又はソーラ時計等の時計用文字板において、透明基板上に多数の小孔が配設されている第１の金属（膜）層と、前記第１の金属（膜）層の上に部分的に時字、マーク等を成す第２の金属層とを具備したことを特徴とするものである。
【００１２】
また、前記第１の金属（膜）層に配設されている小孔の孔径は、５〜３０μｍの大きさであることを特徴とするものである。
【００１３】
また、前記第１の金属（膜）層に配設されている小孔が占める割合は、表から文字板が見える面積（見切り面積）の２０〜５０％の面積率で配設さていることを特徴とするものである。。
【００１４】
また、前記第１の金属（膜）層の表面に模様が形成されていることを特徴とするものである。
【００１５】
また、前記第１の金属（膜）層上に透過性のカラー塗膜が設けられていることを特徴とするものである。
【００１６】
また、前記第２の金属層の表面は光沢を有していることを特徴とするものである。
【００１７】
また、前記第１の金属（膜）層及び第２の金属層の表面をクリヤー塗膜で被覆したことを特徴とするものである。
【００１８】
【発明の実施の形態】
以下図面に基づいて本発明における時計用文字板について説明する。図１及び図２本発明の第１の実施の形態に係わり、図１は、時計用文字板の平面図、図２は、図１の時計用文字板の部分断面図である。
【００１９】
図１及び図２において、時計用文字板３は、この時計用文字板３の下にＥＬ発光体１（又はソーラセル体）が配設されているものである。この時計用文字板３の構成は、透明基体５の上に多数の小孔６ａが形成された薄い第１の金属（膜）層６が設けられて、更に、この第１の金属（膜）層６の上面の一部分に時字、マークを成す第２の金属層７が設けられて、その全面に透明なクリヤー塗膜８で被覆した構成になっている。
【００２０】
前記透明基体５は透明な樹脂板で形成されているが、特に樹脂板に限定するものではない。熱や外力で変形しないものが好ましい。前記薄い第１の金属（膜）層６は、薄い金属膜で出来ており、図１及び図２に示すように、貫通した小孔６ａが多数形成された区画６ｂと、この小孔６ａが形成されていない島状の複数（図１では１２個）の区画６ｃとが形成されているものである。
【００２１】
前記小孔６ａの孔径は、５〜３０μｍの大きさで、目視では認識できない程度で均一な密度に形成され、そして、この小孔６ａの占める全面積は、文字板が表から見える部分（見切り内）面積の２０〜５０％の範囲内で形成されているものである。この小孔６ａの形状は丸孔、四角孔又は長孔形状でも良く、特に形状は限定しない。
【００２２】
また、この薄い第１の金属（膜）層６には、その表面には模様６ｄが形成されている。この模様６ｄには旭光模様、ストライブ模様、放射模様、格子状模様等各種の模様が形成できる。また、この第１の金属（膜）層６の厚みは特に限定するものではなく、上記模様６ｄが十分施される厚みがあれば良いものである。
【００２３】
また、この薄い第１の金属（膜）層６は、金属の異なる層を積層されたものであっても良い。上記した薄い第１の金属（膜）層６は透明基体５に粘着剤を介して接着固定される。
【００２４】
前記第２の金属層７は、時字、マーク等の指標を成すもので、前記第１の金属（膜）層６の島状の区画６ｃの所定の位置に形成される。この第２の金属層７は、予め製作したものを接着固定して形成しても良いし、或いは前記第１の金属（膜）層６と一体的に形成しても良い。
【００２５】
本第１の実施の形態では、クリヤー塗膜８は、前記第１の金属（膜）層６及び第２の金属層７の上面に形成され、表面が平滑になっている。クリヤー塗膜８の形成によって金属層の腐食及び損傷防止効果を果たすと共に表面が平滑であると文字板全体が綺麗に仕上がり、また、時字等の第２の金属層７に立体感が現れてくる。
【００２６】
ここで、上記した薄い第１の金属（膜）層の製造方法及び上記構成の時計用文字板の製造方法について説明する。図３は、第１の金属（膜）層の製造方法を示す工程図である。図３（ａ）で平滑なステンレス金属平板９上にレジスト膜１０を印刷装置で印刷形成する。図３（ｂ）で写真露光装置でレジスト膜１０を露光し、小孔６ａ位置以外の部分、即ち、剥離除去部分１０ａをレジスト剥離装置で除去する。図３（ｃ）でレジスト膜を剥離除去部分１０ａに離型剤１１を塗布する。図３（ｄ）で離型剤１１上にメッキ装置でＮｉメッキ１２を施す。第１の金属（膜）層６は、例えば、比較的コストの安い銅、ニッケル金属等の金属膜で良い場合は、この金属１層での金属層（膜）で良い。また、材料コストの高い金、銀等の金属膜を設けたい場合は、図３（ｅ）でＮｉメッキ１２の上に、更にメッキ装置で金メッキ１３（又は銀メッキ）を施す。ニッケルと金（又は銀）の二層の金属層で構成するのが経済的である。図３（ｆ）で小孔６ａの部分のレジスト膜１０をレジスト剥離装置で除去する。図３（ｇ）で第１の金属（膜）層６をステンレス金属平板９より剥離する。
【００２７】
以上の方法によって形成した第１の金属（膜）層６を透明基体５に粘着剤で接着することによって透明基体５上に固定することが出来る。その後、機械的加工方法等によって表面に旭光模様、ストライブ模様、放射状模様、格子状模様等の各種模様付けを行うことによって第１の金属（膜）層６の表面に模様が形成される。
【００２８】
次に、時字、マーク等を成す第２の金属層７は、予め製作した表面光沢のある金属部品を前記第１の金属（膜）層６の島状の区画６ｃの所定の位置に接着剤で貼り付けることによって形成出来る。或いは又、上記模様を形成した後レジスト膜を上面全面に形成し、写真露光方法で時字、マーク等の部分のレジスト膜を剥離し、剥離部分に金属の厚メッキを施し、その後再びレジスト膜を全部剥離することによって第１の金属（膜）層６の上に一体的に第２の金属層７を形成することが出来る。この第２の金属層７は上記二層で形成した第１の金属（膜）層６と同様に二層で形成しても良い。例えば、ニッケルメッキした後に金（又は銀）メッキを施すことによって光沢のある金（又は銀）金属層が形成出来る。最後にクリヤー塗膜８を施すことによって本構成の時計用文字板３が製造される。
【００２９】
上述した構成によりその作用・効果について説明する。前記第１の金属（膜）層に大きさが５〜３０μｍの小孔を配設することによって、小孔は目視できないこと、しかもその目に見えない小孔から光を透過させることができ、文字板の照明機能やソーラセルの発電機能を果たすことが出来る。
【００３０】
この小孔の形成は、上述したエレクトロフォーミング法での製造方法で行えば十分寸法管理した状態で形成できる。勿論、上記エレクトロフォーミング法に限定するものではない。
【００３１】
また、小孔の開口面積を２０〜５０％としたことによって、即ち、５０％より小さくしたことによって金属反射面が５０％より多くなり、全体が金属面に見え、全く孔の明いていない金属板に見える。また、２０％より大きくしたことにより、ＥＬの発光した光が透過して十分文字板を照明し、はっきりとした文字板視認が可能となること、或いは、また外界光が文字板を透過してソーラセル発電機能を充分満たすことが出来る。当然ながら金属（膜）層によってその金属独特の金属色が出現するので金属感が出て、高級感が現れてくる。
【００３２】
ここで、前記小孔の形成密度は、文字板に均一に形成すれば全体的に均一なＥＬ照明が得られる。また、文字板の内周部分は粗密度で、時字等がある外周部分は細かい密度（５０％を下回る）で形成すれば、内周部分は暗く、外周部分は明るく照明させることが出来る。このように、任意に小孔の形成密度を変えて明るさの強弱変化を付けることが出来る。
【００３３】
前記ソーラセルの場合においては、セル層が１／４円周均等に形成されているので、４つのセル層それぞれに均等な光量が当たるのが効率的な発電が行われる。従って、小孔の開口密度が１／４円周それぞれ均等な密度となる様に小孔を形成することが好ましい。
【００３４】
前記第１の金属（膜）層の表面に模様を形成することによって、当然ながら金属膜だから加工がし易く、色々な方法で多種にわたる模様が形成でき、文字板の装飾性を高めることが出来ると同時に装飾バリエーションを豊富にすることが出来る。
【００３５】
また、時字、マーク等を成す第２の金属層を形成することによって、またその表面に光沢を持たせることによって、文字板に立体感が現れ、且つ、貴金属的な光沢があるので高級感が現れる。
【００３６】
図４は、本発明の第２の実施の形態を示す時計用文字板の部分断面図である。時計用文字板３は、前述の第１の実施の形態と異なるところは、第１の金属（膜）層６については、小孔６ａの形成されていない島状の区画がない。即ち、第１の金属（膜）層６の全面に多数の小孔６ａが形成されている。そして、この第１の金属（膜）層６の表面に模様６ｄが形成され、その上に透過性のカラー塗膜層１４が設けられている。このカラー塗膜層１４の上面の所定箇所に時字、マーク等を成す第２の金属層７を設けた構造のものである。
【００３７】
ここでの小孔６ａは、前述した第１の実施の形態と同様に、孔径が５〜３０μｍの大きさの小孔であり、その開口面積は見切り表示面積（表から見える面積）の２０〜５０％の範囲で全体に形成されているものである。また、第１の金属（膜）層６の表面の模様６ｄは第１の実施の形態と同様な模様である。
【００３８】
前記カラー塗膜層１４は、第１の金属（膜）層６の単一な金属色調に更に各種カラー色調を付加して装飾性及びカラーバリエーションを豊富に出現さすために設けるもので、単一色のカラー塗膜或いは多色からなり模様を形どるカラー塗膜を設けることによって装飾生及びバリエーションを豊富にさせる。このカラー塗膜層１４は、光の透過生を有し、発光したＥＬの光がカラー塗膜層１４を透過して文字板表面を照射する。或いは又、外界の光が透過してソーラセルに入射する。このカラー塗膜層１４は、透明樹脂にカラー顔料を分散配合して塗料化してスクリーン印刷等の手段で均一に形成することが出来る。
【００３９】
また、上記したカラー塗膜層１４は、第１の金属（膜）層６の腐食防止の効果も果たしている。時字、マーク等を成す第２の金属層７は、予め製作され、その表面に光沢を有する金属部品を接着剤を介して所定の位置に接着固定することによって形成される。
【００４０】
以上述べた構成にすることによって、第１の実施の形態で述べた効果の他に、装飾性を高め、カラーバリエーションを豊富にする効果を得る。また、金属（膜）層上に直接カラー塗膜層を設けるので金属膜とカラー塗膜層に一体感が出て高い装飾価値を与える。また、金属層の腐食防止の効果も得られる。
【００４１】
【発明の効果】
以上説明したように、目に見えない多数の小孔を配設した金属（膜）層を設けたことによって、小孔から光が透過し、ＥＬ発光による文字板照明やソーラ発電機能を満足させる。
【００４２】
また、金属膜なのでその表面に容易に様々な加工を施せるので、所望の各種模様を形成することができ、装飾性が高められる。当然金属感が得られるので高級感も出来る。
【００４３】
また、小孔の大きさを５〜３０μｍとしたことで、小孔が目に見えないので全く違和感を感じさせない文字板が得られる。
【００４４】
また、小孔の面積率を２０％以上にしたことで視認するのに十分な照明が得られ、また、発電機能も十分得られる。また、面積率を５０％以下としたことで金属反射が強く現れて全面に金属調が現れて見える。
【００４５】
また、透過性のカラー塗膜層を設けることによって、色のバリエーションが豊富にできる。
【００４６】
また、時字、マーク等を成す第２の金属層を薄い第１の金属（膜）層の上に設け、更にその表面に光沢を出すことによって、文字板に立体感が現れると同時に光沢のある金属色調が現れるので時計としての高級感が出現出来る。
【００４７】
以上のように、ＥＬ又はソーラを組み込んだ時計の文字板として、違和感がなく、豊かなカラーバリエーションが得られ、金属調で立体感が有り時計としての高級感が出現できる時計用文字板を提供することが出来た。
【図面の簡単な説明】
【図１】本発明の第１の実施の形態に係わる時計用文字板の平面図である。
【図２】図１の時計用文字板の部分断面図である。
【図３】図１の第１の金属（膜）層の製造方法を示す工程図である。
【図４】本発明の第２の実施の形態に係わる時計用文字板の部分断面図である。
【図５】従来の腕時計の内部構造を示す部分断面図である。
【図６】従来の放射状の出射口を形成した表示板の部分平面図である。
【図７】従来の細径の円弧状の出射口を形成した表示板の部分平面図である。
【符号の説明】
１  ＥＬ発光体（又はソーラセル体）
３  時計用文字板
５  透明基体
６  第１の金属（膜）層
６ａ  小孔
６ｂ  小孔が多数形成された区画
６ｃ  小孔だ形成されていない島状の区画
６ｄ  模様
７  第２の金属層
８  クリヤー塗膜
１４  カラー塗膜層
【図１】
0003611965.tif 000002
【図２】
0003611965.tif 000003
【図３】
0003611965.tif 000004
【図４】
0003611965.tif 000005
【図５】
0003611965.tif 000006
【図６】
0003611965.tif 000007
【図７】
0003611965.tif 000008